(57)【要約】      （修正有）【課題】場所を取らずに、また崩れないで簡単に設置でき、しかも宣伝効果の高いサンプル配布を行うことができるサンプルパック配布用ボックスを提供にする。【解決手段】上面部１１ｅに開閉可能なパック投入口１４を設け、内部に該パック投入口１４より投入されたサンプルパック１を上下方向に積み重ね配置可能なパック収納室１３を有し、かつ、前面部１１ａ下部に該パック収納室１３内に積み重ね配置されているサンプルパック１を引き出して取り出し可能なパック排出口１５を設けた箱体１１と、パック収納室１３内の下部に設置され、該パック収納室１３内に積み重ね配置されるサンプルパック１を前上がりの傾斜姿勢で受け止め、該積み重ね配置されているサンプルパック１の最下端から１または複数番目までのサンプルパック１がパック排出口１５まで縦送り移動するのを許容する制御板１２とを設けたサンプルパック配布用ボックス。【選択図】図３
2009280225.tif 000002
【特許請求の範囲】
【請求項１】
シート状の製品見本を袋または容器に入れてサンプルパックとし、該サンプルパックを積み重ね配置して任意ユーザーに配布するサンプルパック配布用ボックスにおいて、
上面に開閉可能なパック投入口を設けているとともに、内部に該パック投入口より投入された前記サンプルパックを上下方向に積み重ね配置可能なパック収納室を有し、かつ、前面下部に該パック収納室内に積み重ね配置されている前記サンプルパックを引き出して取り出し可能なパック排出口を設けた箱体と、
前記パック収納室内の下部に設置され、該パック収納室内に積み重ね配置される前記サンプルパックを前上がりの傾斜姿勢で受け止め、該積み重ね配置されているサンプルパックの最下端から１または複数番目までのサンプルパックが前記パック排出口まで縦送り移動するのを許容するとともに、該パック排出口に排出されたサンプルパックの少なくとも真上に位置しているサンプルパック前端部を前記箱体の前面内側面に当接させて該サンプルパックが前記パック排出口まで縦送り移動するのを規制し、かつ、前記パック排出口に排出されているサンプルパックが該パック排出口から排出されると該排出されたサンプルパックの真上または前記複数番目までに位置しているサンプルパックが前記パック排出口まで縦送り移動するのを許容する制御板と、
を備えることを特徴とするサンプルパック配布用ボックス。
【請求項２】
上記制御板は、上記パック排出口まで縦送り移動されたサンプルパックを、該サンプルパック前端部が該パック排出口から外部に突出された状態にして受けることを特徴とする請求項１記載のサンプルパック配布用ボックス。
【請求項３】
上記制御板は、板状部材の中間部分を側面視略Ｖ字形に折り曲げ、該折り曲げ部分の前側に前側傾斜板部を後側に背側傾斜板部をそれぞれ設けて成り、前記前側傾斜板部を前上がりの傾斜姿勢で上記パック排出口の下端に連結取り付けするとともに、前記背側傾斜板部を前記パック排出口に排出されたサンプルパックの少なくとも真上に位置しているサンプルパックの前端部を前記パック収納室の前面内壁に当接させて前記縦送り移動を規制し、かつ、前記パック排出口に排出されているサンプルパックが該パック排出口から排出されると該排出されたサンプルパックの少なくとも真上に位置しているサンプルパックが前記パック排出口まで縦送り移動するのを許容できるようにして前記パック収納室の後面部に取り付けて成ることを特徴とする請求項１または２記載のサンプルパック配布用ボックス。
【請求項４】
上記パック排出口の下部中央部分に、上記パック排出口に移動されている前記サンプルパックの前端部下面に指を差し込んで添えるための切欠部を該パック排出口と連通して設けて成ることを特徴とする請求項１,２または３記載のサンプルパック配布用ボックス。
【発明の詳細な説明】
【技術分野】
【０００１】
本発明は製品見本を入れたサンプルパックを配布するためのサンプルパック配布用ボックスに関するものであり、特に、シート状の製品見本を袋または容器に入れてサンプルパックとし、該サンプルパックを積み重ね配置して任意ユーザーに配布するサンプルパック配布用ボックスに関するものである。
【背景技術】
【０００２】
従来から、新商品の宣伝や販売拡大を行う方法として、展示会、商品説明会、代理店及びスーパーマーケット等の店頭で、商品の宣伝を印刷したチラシ等と共に製品見本(サンプル)を顧客(ユーザー)に配布する方法が採られている。また、チラシ及び製品見本を顧客に配布する方法として、宣伝員が一枚ずつ手渡しで顧客に配布する方法、あるいは、製品見本とチラシを袋または容器に入れてサンプルパックとして所定の場所に積み重ねて置き、必要とする顧客が自由に取って持ち帰るというような方法がとられている。
【特許文献１】なし。
【発明の開示】
【発明が解決しようとする課題】
【０００３】
しかしながら、宣伝員がサンプルパックを一枚ずつ手渡しで顧客に配布する方法では、人件費が掛かるという問題がある。また、必要としない顧客にまで配布をして、無駄が生じることもあった。
【０００４】
一方、サンプルパックを店頭の所定の場所に積み重ねて置き、必要とする顧客が自由に取って持ち帰るという方法では、顧客がサンプルパックに気づきにくく、顧客に広告宣伝をアピールする機能を十分に発揮することができていなかった。また、店頭に積み重ねて置いたサンプルパックが崩れて散乱し、周囲の美観を汚す問題点があった。しかも、少量の数しか置くことができなかった。
【０００５】
そこで、場所を取らずに、また崩れないで簡単に設置でき、しかも宣伝効果の高いサンプル配布を行うことができるようにするために解決すべき技術的課題が生じてくるのであり、本発明はこの課題を解決することを目的とする。
【課題を解決するための手段】
【０００６】
本発明は上記目的を達成するために提案されたものであり、請求項１記載の発明は、シート状の製品見本を袋または容器に入れてサンプルパックとし、該サンプルパックを積み重ね配置して任意ユーザーに配布するサンプルパック配布用ボックスにおいて、上面に開閉可能なパック投入口を設けているとともに、内部に該パック投入口より投入された前記サンプルパックを上下方向に積み重ね配置可能なパック収納室を有し、かつ、前面下部に該パック収納室内に積み重ね配置されている前記サンプルパックを引き出して取り出し可能なパック排出口を設けた箱体と、前記パック収納室内の下部に設置され、該パック収納室内に積み重ね配置される前記サンプルパックを前上がりの傾斜姿勢で受け止め、該積み重ね配置されているサンプルパックの最下端から１または複数番目までのサンプルパックが前記パック排出口まで縦送り移動するのを許容するとともに、該パック排出口に排出されたサンプルパックの少なくとも真上に位置しているサンプルパック前端部を前記箱体の前面内側面に当接させて該サンプルパックが前記パック排出口まで縦送り移動するのを阻止し、かつ、前記パック排出口に排出されているサンプルパックが該パック排出口から排出されると該排出されたサンプルパックの真上または前記複数番目までに位置しているサンプルパックが前記パック排出口まで縦送り移動するのを許容する制御板と、を備えるサンプルパック配布用ボックスを提供する。
【０００７】
この構成によれば、サンプルパックは箱体のパック収納室内に積み重ねて配置されるので崩れることなく、所定の場所に置いておくことができる。
【０００８】
そして、箱体内に配置されたサンプルパックは、最下端から１または複数番目までのサンプルパックがパック排出口に配置され、該パック排出口に配置されたサンプルパックの真上に位置しているサンプルパックは前端部を箱体の前面内側面(パック収納室内面)に当接させて下方への移動が抑えられて保持され、最下端から１または複数番目までのサンプルパックに加わる重みを軽減する状態で上側に待機している。これにより、パック排出口に配置されたサンプルパックを軽い力で簡単に引き抜いて取り出すことができる。また、パック排出口に配置されていたサンプルパックが引き抜かれると、上側で待機していたサンプルパックが下方に縦送り移動されてパック排出口に新たに配置される。したがって、サンプルを希望するユーザーは、パック排出口に配置されているサンプルパックを手で掴んで引き出すと簡単に箱体内から順次取り出すことができ、その取り出したサンプルパックを自由に持ち帰ることができる。
【０００９】
請求項２記載の発明は、上記制御板は、上記パック排出口まで縦送り移動されたサンプルパックを、該サンプルパック前端部が該パック排出口から外部に突出された状態にして受けるサンプルパック配布用ボックスを提供する。
【００１０】
この構成によれば、パック排出口に移動されているサンプルパックは、前端部が該パック排出口から外部に突出された状態で保持され、ユーザーが引き抜くのを待つ。
【００１１】
請求項３記載の発明は、上記制御板は、板状部材の中間部分を側面視略Ｖ字形に折り曲げ、該折り曲げ部分の前側に前側傾斜板部を後側に背側傾斜板部をそれぞれ設けて成り、前記前側傾斜板部を前上がりの傾斜姿勢で上記パック排出口の下端に連結取り付けするとともに、前記背側傾斜板部を前記パック排出口に排出されたサンプルパックの少なくとも真上に位置しているサンプルパックの前端部を前記パック収納室の前面内壁に当接させて前記縦送り移動を規制し、かつ、前記パック排出口に排出されているサンプルパックが該パック排出口から排出されると該排出されたサンプルパックの少なくとも真上に位置しているサンプルパックが前記パック排出口まで縦送り移動するのを許容できるようにして前記パック収納室の後面部に取り付けて成るサンプルパック配布用ボックスを提供する。
【００１２】
この構成によれば、板状部材を側面視略Ｖ字形に折り曲げ、該板状部材をパック収納室内に配置させて制御板とすることができる。
【００１３】
請求項４記載の発明は、上記パック排出口の下部中央部分に、上記パック排出口に移動されている前記サンプルパックの前端部下面に指を差し込んで添えるための切欠部を該パック排出口と連通して設けて成るサンプルパック配布用ボックスを提供する。
【００１４】
この構成によれば、切欠部から指を差し込んでサンプルパックの下面に該指を添えるとともに、さらに別の指でサンプルパックの上面を上側から押さえると、サンプルパックの前端部をしっかりと摘んで該サンプルパックをパック排出口から引き抜くことができる。
【発明の効果】
【００１５】
請求項１記載の発明は、サンプルパックを箱体のパック収納室内に積み重ねて配置しておくことができるので、サンプルパックが崩れて散乱することがなくなる。また、場所もさほど取らずに箱体と共に綺麗にディスプレイして数多くのサンプルパックを配置することができる。さらに、箱体の外面に絵や文字等の広告等を入れてユーザーの気を引くように目立たせたりすることもでき、また種類の異なるサンプルパックを収納したボックスを数種類用意しておくと、多種類のサンプルを同時に配布することができ、宣伝効果の向上が期待できる。また、パック排出口に配置されているサンプルパックを希望するユーザー自身が手で自由に引き出して持ち帰ることができ、専従の宣伝員を必要としないので、経費節減効果も期待できる。
【００１６】
請求項２記載の発明は、サンプルパックはユーザーが引き抜くのを前端部がパック排出口から外部に突出された状態で待つようにしてあるので、請求項１記載の発明の効果に加えて、ユーザーが外部に突出されている前端部を手で掴んで簡単に引き出して持ち帰ることができるという効果が期待できる。
【００１７】
請求項３記載の発明は、側面視略Ｖ字形に折り曲げた該板状部材をパック収納室内に配置させて制御板を設けることができるので、請求項１または２記載の発明の効果に加えて、構造の簡略化が図れるという効果が期待できる。
【００１８】
請求項４記載の発明は、サンプルパックをパック排出口から引き抜くときに、サンプルパックの上下面を指でしっかりと摘んで引き出すことができるので、請求項１,２または３記載の効果に加えて、ユーザーがサンプルパックを簡単に引き抜いて持ち帰ることができるという効果が期待できる。
【発明を実施するための最良の形態】
【００１９】
本発明は、場所を取らずに、また崩れないで簡単に設置でき、しかも宣伝効果の高いサンプル配布を行うことができるようにするという目的を達成するために、シート状の製品見本を袋または容器に入れてサンプルパックとし、該サンプルパックを積み重ね配置して任意ユーザーに配布するサンプルパック配布用ボックスであって、上面に開閉可能なパック投入口を設けているとともに、内部に該パック投入口より投入された前記サンプルパックを上下方向に積み重ね配置可能なパック収納室を有し、かつ、前面下部に該パック収納室内に積み重ね配置されている前記サンプルパックを引き出して取り出し可能なパック排出口を設けた箱体と、前記パック収納室内の下部に設置され、該パック収納室内に積み重ね配置される前記サンプルパックを前上がりの傾斜姿勢で受け止め、該積み重ね配置されているサンプルパックの最下端から１または複数番目までのサンプルパックが前記パック排出口まで縦送り移動するのを許容するとともに、該パック排出口に排出されたサンプルパックの少なくとも真上に位置しているサンプルパック前端部を前記箱体の前面内側面に当接させて該サンプルパックが前記パック排出口まで縦送り移動するのを阻止し、かつ、前記パック排出口に排出されているサンプルパックが該パック排出口から排出されると該排出されたサンプルパックの真上または前記複数番目までに位置しているサンプルパックが前記パック排出口まで縦送り移動するのを許容する制御板と、を備えるようにしたことにより実現した。
【実施例】
【００２０】
以下、本発明のサンプルパック配布用ボックスについて、好適な実施例をあげて説明する。
【００２１】
図１は本発明の一実施例として示すサンプルパック配布用ボックスの斜視図、図２はその正面図、図３は図２のＡ−Ａ線概略断面図である。
【００２２】
同図において、サンプルパック配布用ボックス１０(以下、「ボックス１０」という)は、サンプルパック１を上下方向に複数枚積み重ねて収容するための箱体１１と、該箱体１１内に配設された制御板１２とを備えている。
【００２３】
前記サンプルパック１は、シート状の製品見本(例えば、業務用の紙ウエス、不織布製ワイピングクロス等)を、宣伝広告が印刷されたポリ袋や紙容器に入れてシート状にセットしたものであり、本例では横２２０ミリ、縦１８０ミリ、厚み５ミリ程度である。なお、該サンプルパック１の大きさは、製品見本等によって変わるものである。また、該ポリ袋または紙容器の外形は、内部にセットされた製品見本よりも大きい。
【００２４】
前記箱体１１は、段ボール製で、平板状の段ボールを所定の形状にカッティングし、それを順に折り曲げて前面部１１ａ、後面部１１ｂ、左右の側面部１１ｃ,１１ｃ、下面部１１ｄ、上面部１１ｅを有する六面体の箱とし、該箱の内部にサンプルパック１を複数枚上下方向に積み重ねて収容するためのパック収納室１３を設けている。
【００２５】
前記上面部１１ｅは上下方向に開閉可能な開閉蓋として形成されている。そして、該上面部１１ｅ(以下、「開閉蓋１１ｅ」という)を開放させるとパック収納室１３の上面が開いてパック投入口１４となり、該パック投入口１４を通してパック収納室１３内に複数枚のサンプルパック１,１…を投入して補給できるようになっている。
【００２６】
前記前面部１１ａの下端側には、左右方向に延びるパック排出口１５が設けられている。該パック排出口１５は、パック収納室１３内のサンプルパック１を１または複数枚同時に引き出して取り出すことができるようになっている。なお、該パック排出口１５の下部中央部分には、該パック排出口１５の部分でサンプルパック１を引き出すときに、該サンプルパック１の前端部下面に添える指を差し込むための切欠部１６が該パック排出口１５と連通して設けられている。
【００２７】
また、箱体１１の外面は、必要な箇所に商品の宣伝広告や、商品の内容、使用方法、効能等の説明や写真を印刷、あるいはシートで貼付されることができるようになっている。なお、本例では前面部１１ａのパック排出口１５を挟んで、その上部の箇所１７ａに商品の宣伝広告を印刷して成るシートが貼付され、下部の箇所１７ｂに該サンプルパック１を無料で配布していることをユーザーに広く知らしめるために、「無料サンプル進呈中!! ご自由にどうぞ」という文字等を印刷して成るシートが貼付される。したがって、該箱体１１を見たユーザーは、サンプルパック１の宣伝広告を見るのと同時に該サンプルパック１を無料配布しているのを知り、自由に持ち帰ることができる。
【００２８】
前記制御板１２は、箱体１１と同じ段ボール製で、平板状の段ボールを側面視略Ｖ字形に折り曲げ、その中間折り曲げ部分１２ａを箱体１１の下面部１１ｄ内面の前後中間部分に当接させ、該中間折り曲げ部分１２ａを挟んで片側の前側傾斜板部１２ｂをパック排出口１５側に延ばして該パック排出口１５の下端に連結固定させ、反対側の背側傾斜板部１２ｃをパック投入口１４側に延ばして後面部１１ｂ内面に固定して取り付けられている。そして、該制御板１２の前側傾斜板部１２ｂは、パック収納室１３内に投入されて積み重ねられている複数のサンプルパック１,１…を下側から受け、背側傾斜板部１２ｃは該複数のサンプルパック１,１…の後端側を受けるように構成されている。
【００２９】
また、該制御板１２とサンプルパック１との関係では、該サンプルパック１の奥行き幅を背側傾斜板部１２ｃと前面部１１ａとの間の幅よりもやや大きくなるように設定している。そして、該サンプルパック１の奥行き幅と背側傾斜板部１２ｃと前面部１１ａとの間の幅との大きさ、及び、制御板１２の前側傾斜板部１２ｂ及び背側傾斜板部１２ｃの角度をそれぞれ設定することにより、パック収納室１３内に収納されたサンプルパック１,１…が次のように動作するように調整してある。
【００３０】
まず、サンプルパック１,１がパック収納室１３内に積み重ね配置されると、該サンプルパック１,１…は図３に示すように、前側傾斜板部１２ｂにより前上がりの傾斜姿勢で受け止められる。また、該積み重ね配置されているサンプルパック１,１…の最下端のサンプルパック１がパック排出口１５まで縦送り移動されて、同図に示すように、該サンプルパック１の前端部が該パック排出口１５から外側に飛び出すとともに、該パック排出口１５に排出されたサンプルパック１の真上に位置しているサンプルパック１の前端部が箱体１１の前面部１１ａ内側面に当接されて該サンプルパック１が該パック排出口１５まで縦送り移動するのを阻止し、上側で待機させる。これにより、上側のサンプルパック１,１…の重みが下側のサンプルパック１に加わるのを軽減させている。
【００３１】
また、該パック排出口１５に移動されているサンプルパック１が該パック排出口１５から引き出されて排出されると、該排出されたサンプルパック１の真上に位置しているサンプルパック１がパック排出口１５まで縦送り移動されて該パック排出口１５から前端部を飛び出して配置されるように構成されている。なお、サンプルパック１を引き出すとき、サンプルパック１に加わっている重量は軽減された状態にあるので、小さな力でスムーズに引き出すことができる。
【００３２】
したがって、該ボックス１０では、パック排出口１５からサンプルパック１が引き抜かれて取り出されると、次のサンプルパック１がパック排出口１５の部分に移動され、これの繰り返しにより、サンプルパック１,１…をパック排出口１５から１つずつ連続して取り出すことができることになる。また、パック排出口１５には、下部中央部分に切欠部１６が設けられ、該パック排出口１５の部分でサンプルパック１を引き出すとき、指を切欠部１６より該サンプルパック１の前端部下面に差し込んで添え、さらに別の指でサンプルパック１の上面を上側から押さえると、サンプルパック１の前端部をしっかりと摘み、該サンプルパック１をパック排出口１５から確実に引き抜いて取り出すことができる。
【００３３】
なお、パック排出口１５に、該パック排出口１５から前端部を飛び出させて常時配設しておくサンプルパック１の数は、パック排出口１５の上下方向の大きさ、該サンプルパック１の奥行き幅と背側傾斜板部１２ｃと前面部１１ａとの間の幅との大きさ、及び、制御板１２の前側傾斜板部１２ｂと背側傾斜板部１２ｃとで成す角度をそれぞれ調整することにより変えることができる。
【００３４】
したがって、このように構成された本発明のサンプルパック配布用ボックス１０を使用してサンプルパック１,１…を配布した場合では、サンプルパック１,１…を箱体１１のパック収納室１３内に積み重ねて配置しておくことができるので、サンプルパック１,１…が崩れて散乱することがない。また、場所もさほど取らずに箱体１１と共に綺麗にディスプレイして数多くのサンプルパック１,１…を配置することができる。
【００３５】
また、箱体１１の外面に絵や文字等の広告等を入れて目立たせたりすることもでき、さらに種類の異なるサンプルパック１,１…を収納したボックス１０を数種類用意しておくと、多種類のサンプルを同時に配布することができ、宣伝効果の向上が期待できる。
【００３６】
さらに、パック排出口１５に配置されているサンプルパックを希望するユーザー自身が手で自由に引き出して持ち帰ることができ、専従の宣伝員を必要としないので、経費節減効果も期待できることになる。更に又、例えば、シート状のものを複数枚畳んだ製品を店頭販売するような場合にも本発明が適用されることができる。
【００３７】
尚、本発明は、本発明の精神を逸脱しない限り種々の改変を為すことができ、そして、本発明が該改変されたものに及ぶことは当然である。
【図面の簡単な説明】
【００３８】
【図１】本発明の一実施例として示すサンプルパック配布用ボックスの斜視図。
【図２】同上サンプルパック配布用ボックスの正面図。
【図３】図２のＡ−Ａ線概略断面図。
【符号の説明】
【００３９】
１        サンプルパック
１０      サンプルパック配布用ボックス
１１      箱体
１１ａ    前面部
１１ｂ    後面部
１１ｃ    左右の側面部
１１ｄ    下面部
１１ｅ    上面部(開閉蓋)
１２      制御板
１２ａ    中間折り曲げ部分
１２ｂ    前側傾斜板部
１２ｃ    背側傾斜板部
１３      パック収納室
１４      パック投入口
１５      パック排出口
１６      切欠部
１７ａ    上部箇所
１７ｂ    下部箇所
【図１】
2009280225.tif 000003
【図２】
2009280225.tif 000004
【図３】
2009280225.tif 000005